Podtech/llm-jp-corpus-v4-ja_patent huggingface dataset:
(57)【要約】      （修正有）【課題】従来、チャック付きプラスチックフイルム等を素材とする密封袋は、その開け口を開く際、チャックの噛み合わせの強さや、閉じようとする反作用に加え、開け口の狭さ、掴み代（しろ）の幅狭さ等によって、開け口縁を小さく掴んだ指先が容易に外れる等して、チャックを開くのに面倒であった。容易に開け口を開くことができるチャック付き密封袋を提供する。【解決手段】チャック３上部の開け口６の縁上部にそれぞれ１枚の掴み部４、５を形成。それによって従来の様に、チャック３を開く際、開け口６の縁全体を開くことによる戻り作用等の影響を受けることなく、掴み部４、５をしっかり掴むことが出来、むりなくチャック３を開けるようにした。【選択図】図１
2012126454.tif 000002
【特許請求の範囲】
【請求項１】
押し込め引き離し式の凹凸線チャック上部の双方開け口の縁上部に、左右に開くための掴み部を双方に形成するプラスチックフイルム等材質の密封袋。
【発明の詳細な説明】
【技術分野】
【０００１】  本発明は、開け口の内側に合成樹脂の凹凸チャックを設けた、食品、薬、等々を入れるための合成樹脂フイルム等を素材とする密封袋に関するものである。
【発明の概要】
【発明が解決しようとする課題】
【０００２】  従来、指による押圧や引き離しで開閉する合成樹脂線のチャックは、その上部開け口を掴む奥行幅が大変少なく、その上２枚のフイルム口部縁が密着していることや、口幅の狭い内側でチャックが強く咬み合っている等によって、大変開けずらものであった。
【課題を解決するための手段】
【０００３】  本発明は図１に示す様、チャック３上部の開け口の縁に右掴み部４と左掴み部５を形成する。又、図２に示す様、上部を接着し、前以て商品等を入れたチャック式の密封袋の場合は、上部に開封のための切り取り線７の中央部を、山形状とし、その線に従ってハサミを入れてもらうことによって、開け口上部中央に、重なり合った２枚の掴み部４、５が形成される。
【発明の効果】
【０００４】  本発明はこれによって、図３に示す様、双方つまみ部４，５をしっかりと掴むことが出来、その双方を左右に引くことによって、極めて簡単に袋内側のチャックを開くことが出来る。又、図４に示す様、ハサミを入れて形成された山形状の掴み部４，５の場合は、上部縁を指先で軽く引くことによって、その手前掴み部４が容易に開き、それによって双方の掴み部を引くことが出来、袋内側のチャックを容易に開くことが出来る。従って、これまでこの種の密封袋を開けることに手間取っていた人にとっては大変便利である。
【符号の説明】
【０００５】    １  チャック付き合成樹脂フイルム等素材密封袋
２  接着縁部
３  押し込め引き離し式チャック
４、５  掴み部
６  開け口
７  切り取り線
【図１】
2012126454.tif 000003
【図２】
2012126454.tif 000004
【図３】
2012126454.tif 000005
【図４】
2012126454.tif 000006
【手続補正書】
【提出日】平成23年3月8日(2011.3.8)
【手続補正１】
【補正対象書類名】明細書
【補正対象項目名】全文
【補正方法】変更
【補正の内容】
【発明の詳細な説明】
【技術分野】
【０００１】  本発明は、開け口の内側に合成樹脂線チャックを設けた、食品、薬、等々を入れるための合成樹脂フイルム等を素材とする密封袋に関するものである。
【発明の概要】
【発明が解決しようとする課題】
【０００２】  従来、指による押圧や引き離しで開閉する合成樹脂線のチャツクは、その上部開け口を掴む奥行き幅が大変少なく、その上２枚からなる横長のフイルム口部が密着していることや、口幅の狭い内側でチャツクが強く咬み合っている等によって、大変開けずらいものであった。
【課題を解決するための手段】
【０００３】  本発明は、図１に示す様、チャツク３上部の開け口の縁に右掴み部４と左掴み部５を形成する。又、図２に示す様、上部を接着し、前以て商品等を入れたチャツク式の密封袋の場合は、上部に開封のための切り取り線７の中央部を、山形状とし、その線に従ってハサミを入れてもらうことによって、開け口上部中央に、重なり合った山形状の２枚の掴み部４、５を形成する。
【発明の効果】
【０００４】  本発明はこれによって、図３に示す様、双方掴み部４、５をしっかりと掴むことが出来、その双方を左右に引くことによって、極めて簡単に袋内側のチャツクを開くことが出来る。
又、図４に示す様、ハサミを入れて形成された山形状の掴み部４、５の場合は、その一方の上部縁を親指の先で軽く引くことによってその上部が容易に開き、それによって双方の掴み部を引くことが出来、袋内部のチャツクを容易に開くことが出来る。従って、これまでこの種の密封袋の口を開けることに手間取っていた人には大変便利である。
【図面の簡単な説明】
【０００５】
【図１】  開封口上部に２枚の掴み部を設けた本発明の樹脂フイルム密封袋の正面図
【図２】  開封口上部に示した山形状の切り取り線を入れた本発明の樹脂フイルム密封袋の正面図
【図３】  図１に示した本発明の使用効果を示す斜視図
【図４】  図２に示した本発明の使用効果を示す斜視図
【符号の説明】
【０００６】  １  チャツク付き合成樹脂フイルム等素材の密封袋
２  接着縁部
３  押し込め引き離し式樹脂線チャツク
４、５  掴み部
６  開け口
７  切り取り線
(57)【要約】【課題】醤油差しのような液体注出容器の、内容液の酸化を押えるための落とし蓋を提供する。【解決手段】円板状の上下の面を山型形状に形成した、液体注出容器の落とし蓋。【選択図】図１
2012126459.tif 000002
【特許請求の範囲】
【請求項１】
醤油差しのような容器に用いる落とし蓋において、液体上で浮遊性を有し、液体に対し非浸透性を持つ材質を用い、全面滑面の円板状の上下の面をなだらかな山型形状に形成したことを特徴とする、醤油差しのような液体注出容器に用いる落とし蓋。
【請求項２】
請求項１の材質を軟質材とした、醤油差しのような液体注出容器に用いる落とし蓋。
【請求項３】
請求項１の形状を小形粒状体とした、醤油差しのような液体注出容器に用いる落とし蓋。
【発明の詳細な説明】
【技術分野】
【０００１】  本発明は、醤油差しなどの内溶液の酸化を押えるための落とし蓋に関するものである。
【背景技術】
【０００２】  従来、液体注出容器は醤油差しのようなものが一般的に使用されている。
又、“酸化しない密封容器”「逆止弁中栓キャップ」（キッコーマン）や“何度注いでも空気が入らない新容器”「いつでも開けたてパウチ」（ヤマサ）などの製品が販売されている。
【発明の開示】
【発明が解決しようとする課題】
【０００３】  そのため、次のような問題点があった。
（イ）一般用液体注出容器は、注出口と空気流入孔が常に開口していて、注ぐ度に新たな空気が出入りし内溶液に常に触れるため酸化を早め、色が悪くなったり、品質が劣化し風味も落ちていた。
（ロ）「逆止弁中栓キャップ」（キッコーマン）が１４０Ｗ×２３０Ｈ×５０Ｄ、「いつでも開けたてパウチ」（ヤマサ）が１３５Ｗ×２５０Ｈ×７５Ｄと、いずれも食卓に置くには大きく手軽に使えるものではなかった。
又、キッコーマン製もヤマサ製も袋容器なので、注ぐ時に手で挟んで押える力の加減で、注ぐ量を調節することになるため量の徴調整は非常に難しく、大雑把な使い方しか出来ない。
【課題を解決するための手段】
【０００４】  醤油差しのような容器に用いる落とし蓋において、液体面上で浮遊性を有し、液体に対し非浸透性を持ち、場合によっては自由に変形可能な軟質材を用い、全面滑面の円板状の両面をなだらかな山型形状に形成し、場合によっては小さな粒状に形成して多数個で使用することを特徴とする、醤油差しのような液体注出容器に用いる落とし蓋である。
【発明の効果】
【０００５】  一般用液体注出容器内の液体に、本発明を浮遊させ、上部空間にある空気と内容液の接触面を遮断することにより、酸化の速度を大幅に押えこむことが出来る。
【図面の簡単な説明】
【０００６】
【図１】本発明の斜視図
【図２】本発明の実施例を示す側面図
【図３】本発明における別の形状の斜視図
【図４】本発明における別の形状の実施例を示す側面図
【図５】本発明における別の実施例を示す斜視図
【図６】本発明における別の実施例を示す側面図
【発明を実施するための最良の形態】
【０００７】  以下、本発明の実施の形態について説明する。
醤油差しのような容器に用いる落とし蓋（１）において、液体上で浮遊性を有し、液体に対し非浸透性を持つ材質を用い、全面滑面の円板状の上下の面をなだらかな山型形状（２）に形成したことを特徴とする、醤油差しのような液体注出容器（３）に用いる落とし蓋（１）である。
本発明は、以上のような構成で、これを使用する時は、醤油差しのような一般用液体注出容器（３）の液体に本発明を浮遊させ、上部空間にある空気（４）と内容液（５）の接触面を遮断することにより、内容液（５）の酸化を大幅に押さえこむことが出来る。
上下両面共に山型形状（２）にすることにより、内容液（５）が一時上面に被っても自ずと流れ落ちるし、又、内容液（５）が、ほぼ無くなった時、下面が容器の底面に貼り付くという心配もない。
又、本発明の本体全面を滑面にすることで、内容液（５）が本発明の一部に付着残留することなく流れ落ちることが出来る。
なお、山型形状（２）は、液面と接触する方の片面だけであっても、上面に内容液（５）を被った時に残留した分が酸化しやすい欠点はあるが、基本的な機能において大差はない。
また、本案の材質を軟質材とし折り曲げ可能とすることにより、小口タイプの容器に折り曲げて内装することが可能となる。
さらに、本案を小さな粒状体にし、多数個の粒状体を浮遊させることにより、寸胴タイプでない変形容器にも同様の効果が期待出来る。
【符号の説明】
【０００８】１  落とし蓋
２  山型形状
３  液体注出容器
４  空気
５  内容液
６  軟質材落とし蓋
７  多数個の粒状体
【図１】
2012126459.tif 000003
【図２】
2012126459.tif 000004
【図３】
2012126459.tif 000005
【図４】
2012126459.tif 000006
【図５】
2012126459.tif 000007
【図６】
2012126459.tif 000008
(57)【要約】 【課題】  液状のものを注いだ後の、注ぎ口に残っていたわずかな液が簡単な操作で、こぼれない液だれ防止器を提供する。【解決手段】  相手注ぎ口4の上にのせ、中に注ぎ口をとうして使用する。注ぎ終わった後、注ぎ口を持上げて受け皿を回転させ、受け皿部分の上にのせることにより、液だれが防止できる機能を備えた液だれ防止器とする。【選択図】    図１
2012126442.tif 000002
【特許請求の範囲】
【請求項１】
相手注ぎ口の上にのせ、中に注ぎ口をとうして使用し、使用後は注ぎ口を持上げ、受け皿を手で水平に回転させて注ぎ口をのせて使用することにより、液だれを防止することを特徴とする液だれ防止器。
【請求項２】
相手注ぎ口の上にのせ、中に注ぎ口をとうして使用し、使用後は注ぎ口を持上げ、受け皿を注ぎ口先端部にて上下方向に回転させて注ぎ口をのせて使用することにより、液だれを防止することを特徴とする液だれ防止器。
【発明の詳細な説明】
【技術分野】
【０００１】
本発明は、液状のものを注いだあとでの使用に適される液だれ防止器に関する。
【背景技術】
【０００２】
従来、液状のものを注ぎ終わったあとに注ぎ口を抜き取る時注ぎ口にわずかに残っていた液が、こぼれることがある。液がこぼれないよう、注ぎ口を振るか、すぐに口を上に向けこぼれないように行っていた。
【発明の概要】
【発明が解決しようとする課題】
【０００３】
従来、液状のものを注いだ後、注ぎ口にわずかに残った液がこぼれないようにする為に、注ぎ終わったあと注ぎ口を振るか、しばらく待つか、すぐに上に向けるなど注意をしながら、注ぎ口を抜き取らねばならい問題を抱えていた。
【０００４】
本発明では、前記の状況を考慮し簡単に操作ができ、安全で軽量な構造として液だれ防止器を提供することを目的としている。
【課題を解決するための手段】
【０００５】
本発明の液だれ防止器は、注ぐ相手の先端部に装着し、その中に注ぎ口を通し、注ぎ終わったら注ぎ口を持上げてから、液だれ防止器の取手部分を回転させることにより注ぎ口先端部の真下に受け皿が移動し、液がこぼれないようになっていることを特徴とするものである。
【発明の効果】
【０００６】
本発明は、以上に説明したように本体、受け皿、本体と受け皿を連結する連結部を備えているので、以下に記載するような効果がある。
【０００７】
液状のものを注いだ後、液をこぼすことなく容易に抜き取ることができる。
【０００８】
上記のように、本発明の液だれ防止器を使用することにより、注ぎ終わったあとの、液だれがなくなる。
【０００９】
この結果、注いだあとの液だれを気にすることなく作業ができる。
【図面の簡単な説明】
【００１０】
【図１】本発明の液だれ防止器を示す図である。
【図２】本発明の液だれ防止器の使用時を示す図である。
【図３】本発明の液だれ防止器の変形例を示す図である。
【図４】本発明の液だれ防止器の変形例の使用時を示す図である
【発明を実施するための形態】
【００１１】
発明の形態を図１及図2により詳細に説明する。本発明の液だれ防止器は、図1に示す例では本体1の中に受け皿2を装着し、受け皿2が回転を行える連結ピン3から構成されたものである。
【００１２】
前記の本体1は、構造物又は一体樹脂として組立てたものである。
【００１３】
前記の受け皿2は、一体として組立て、取って部分Aと、受け皿部分Bとで構成されたものである。
【００１４】
以上の各機構を組立てることにより、取って部分Aの操作により受け皿を回転させることができる。
【００１５】
上記実施形態の変形例を図3及び図4により説明する。本発明の液だれ防止器は、図3に示す例では、静電気の発生しにくい処理を行った本体11に、静電気の発生しにくい処理を行った受け皿12を連結ピン13により、連結することで受け皿12を回転させることができる。
実際の使用について図4により説明する。本体11を相手注ぎ口15の上にのせ中に注ぎ口14をとおす。注ぎ口14を通すとき注ぎ口14の先端部にて受け皿12が連結ピン13により、回転し受け皿12が液を注入している状態Ｆになる。注ぎ口14を抜く時と連結ピン13により、受け皿12が回転し液だれ防止の状態Ｄになる。このとき注ぎ口の先端部を受け皿部分Cの上にのせることにより液だれが防止できる。
【符号の説明】
【００１６】
１  本体
２  受け皿
３  連結ピン
４  注ぎ口
５  相手注ぎ口
Ａ  取手部分
Ｂ  受け皿部分
11  本体
12  受け皿
13  連結ピン
14  注ぎ口
15  相手注ぎ口
Ｃ  受け皿
Ｄ  液だれ防止の状態
Ｅ  液を注入している状態    
【図１】
2012126442.tif 000003
【図２】
2012126442.tif 000004
【図３】
2012126442.tif 000005
【図４】
2012126442.tif 000006
(57)【要約】【課題】    光の三原色を再現できる発光ダイオードが単色なので三原色以外の色は複数の発光ダイオードを組み合わせて彩色させている。【解決手段】    光の三原色併設型発光ダイオードを作成して課題を解決した。【選択図】  図１
2012059908.tif 000002
【特許請求の範囲】
【請求項１】
多彩な色光を発光させる目的で単一の透明注型樹脂内に、ガリウム・ヒ素・の活性層半導体とアルミニウム・ガリウム・ヒ素のクラッド層半導体で形成された赤色を発光するＬＥＤチップ（以下赤色ＬＥＤチップ）、亜鉛・カドミウム・セレンの活性層半導体と亜鉛・硫黄・セレンのクラッド層半導体で形成された緑色を発光するＬＥＤチップ（以下緑色ＬＥＤチップ）、インジウム・ガリウム・ナトリウムの活性層半導体とガリウム・ナトリウムのクラッド層半導体で形成された青色を発光するＬＥＤチップ（以下青色ＬＥＤチップ）、この３種類の発光ＬＥＤチップ、各自にリード・フレームと金ワイヤで点灯する能力を持たせ、個別に入力できる回線を使用して３種類の発光ＬＥＤチップがそれぞれ独自に点灯・発光することを特徴とする光の三原色併設型発光ダイオード
【請求項２】
透明注型樹脂内の赤色ＬＥＤチップ・緑色ＬＥＤチップ・青色ＬＥＤチップを損傷から守る目的で入力用リード・フレームに電流制限抵抗体を備えたことを特徴とする請求項１の光の三原色併設型発行ダイオード。
【請求項３】
発光した色光を鮮明にする目的で透明注型樹脂内上部に拡散体を備えたことを特徴とする請求項２の光の三原色併設型発光ダイオード。
【請求項４】
透明注型樹脂内の赤色ＬＥＤチップ・緑色ＬＥＤチップ・青色ＬＥＤチップの照射光を合成する目的でＬＥＤチップと拡散体の間に。プリズムを備えたことを特徴とする請求項３の光の三原色併設型発光ダイオード。
【請求項５】
透明注型樹脂内のＬＥＤチップの照射光を集光させる目的でプリズムと拡散体の間にレンズ体を備えたことを特徴とする光の三原色併設型発光ダイオード。  
【請求項６】
多彩な色光を発光させる目的で赤色ＬＥＤチップ・緑色ＬＥＤチップ・青色ＬＥＤチップの発光設備をそれぞれ複数にしたことを特徴とする光の三原色併設型発光ダイオード。
【発明の詳細な説明】
【技術分野】
【０００１】
本発明は、多彩な発光をするダイオードに関するものである。
【背景技術】
【０００２】
発光ダイオードは三原色が揃い、この光をそれぞれ合成し自然に近い発光色を作ることができ屋外のカラーテレビや多色の広告塔などに使われている。
【発明の概要】
【発明が解決しようとする課題】
【０００３】
ドーム状の透明樹脂に化合物半導体のチップと金ワイヤを使いリードフレームから電流を通して発光させる砲弾型ＬＲＤは、それぞれチップの化合物を違えることで発光の色を変えているが全て単色である。そのため多色の広告塔の場合、小さな砲弾型ＬＥＤを寄せ集めて色を変えて全体の構図を表現しているが、その発光ＬＥＤはそれぞれが単色のため点滅はしても色を変えることはない。つまり三原色以外の色は全て複数の発光ＬＥＤの組み合わせによる発光である。より詳細な映像を得るためには広告塔の画面を大きくするか、発光ＬＥＤを小さくする必要があった。
【課題を解決するための手段】
【０００４】
本願発明は上記の問題を、単一の砲弾型透明樹脂に赤・青・緑の三原色の発光ＬＥＤを組み込むことで解決した。更に赤・青・緑の発光ＬＥＤを２個づつ計３対組み込むことで、より多彩な発光を可能にした。
【発明の効果】
【０００５】
本願発明の光の三原色併設型発光ダイオードを使用することで広告塔の画面は、大きさを変えることなく多彩で鮮明な映像を得ることが出来る。                              
【図面の簡単な説明】
【０００６】
【図１】図１は本願発明の砲弾型ダイオードの正面図である。
【図２】図２は本願発明の砲弾型ダイオードを真ん中から切断し上部を下から見た図である。
【図３】図３は本願発明の砲弾型ダイオードを真ん中から切断し下部を上から見た図である。
【図４】図４は本願発明の砲弾型ダイオードの底部を下から見た図である。
【図５】図５は金ワイヤと発光ＬＥＤの構造図である。
【発明を実施するための形態】
【０００７】
本発明は砲弾型透明樹脂の中に光の三原色である赤・青・緑の発光ＬＥＤチップを組み込むことで少ないスペースで多彩な発光の変化を可能にしたがそれを実施するための形態を図面にそって説明する。
【実施例１】
【０００８】
図１は本願発明の砲弾型発光ダイオードの正面図であるが、ドーム状の透明樹脂１  の中に上から光の拡散体２  レンズ体３  プリズム４  と順に収められており台座５には赤色用半導体チップ６  緑色用半導体チップ９  青色用半導体チップ１１  が一対づつ設置され各々入力用の端子から金ワイヤ８  で電力が供給され、点灯、発光する。又入力用リード・フレーム１４  にはそれぞれ電力制限抵抗体１３  が必ず取り付けられ、半導体チップに過大な電流が流れてＬＥＤを破壊するのを防止している。
【０００９】
図１の本願発明の砲弾型発光ダイオードに電流を流し、任意の半導体チップに電力を供給すれば多彩な発光の変化が可能になる。赤色・緑色・青色の三原色の他に赤色用半導体チップと緑色用半導体チップに電力を供給すれば黄色に  赤色用半導体チッップと青色用半導体チップに電力を供給すれば赤紫色に、緑色用半導体チップと青色用半導体チップに電力を供給すれば青緑色に３色全ての半導体チップに電力を供給すれば白色に点灯する。更に半導体チップは３対設置されているので赤色用半導体チッップ２個と緑色用半導体チッップ１個に電力を供給すれば橙色に点灯する。
【産業上の利用可能性】
【００１０】
本願発明の砲弾型発光ダイオードを使用すれば、少ないスペースで多彩な発光の成果が期待できるのでさまざまな新しい電飾の産業に利用できる。
【符号の説明】
【００１１】
１    ドーム状の透明樹脂
２    拡散体
３    レンズ体
４    プリズム
５    台座
６    ガリウム・ヒ素の活性層半導体  アルミニウム・ガリウム・ヒ素のクラッド層半導体
７    赤色ＬＥＤ用入力端子
８    金ワイヤ
９    亜鉛・カドミウム・セレンの活性層半導体  亜鉛・硫黄・セレンのクラッド層半導体
１０  緑色ＬＥＤ用入力端子
１１  インジウム・ガリウム・ナトリウムの活性層半導体  ガリウム・ナトリウムのクラッド層半導体  
１２  青色ＬＥＤ用入力端子
１３  電流制限抵抗体
１４  入力用リードフレーム
１５  出力用リードフレーム
２１  Ｐ側電極
２２  Ｎ側電極
２３  発光ＬＥＤクラッド層Ｐ層
２４  発光ＬＥＤ活性層
２５  発光ＬＥＤクラッド層Ｎ層
【図１】
2012059908.tif 000003
【図２】
2012059908.tif 000004
【図３】
2012059908.tif 000005
【図４】
2012059908.tif 000006
【図５】
2012059908.tif 000007
(57)【要約】      （修正有）【課題】お年寄りを対象とした引ったくり、コンビニ強盗、銀行強盗、盗難犯罪を防止する。【解決手段】２個の機器、小さければ小さいほうが良く、そして簡単には壊れない構造とする。この２個の機器がたとえば引ったくりの場合、１メートル以上はなれると１００デシベルの音が鳴り続ける。一方、１メートル以内ならば音は止まるものとする。１個を身につけ、もう１個をハンドバックに入れておくことにより、引ったくりに会った場合に警報音が鳴り、盗難犯罪を防止する。【選択図】なし【特許請求の範囲】
【請求項１】
近づけると止まり、離れると可動する２つの機器
【発明の詳細な説明】
【技術分野】これは現代社会に頻繁に起こる盗難に関するものである。
【背景技術】今この現代においても、昔からも、盗難犯罪はある。最近多いのがお年寄りからの引ったくり。
【発明が解決しようとする課題】
これを何とかできないか。
【課題を解決するための手段】
２個の機器。この２つが１メートル以上はなれると１００デシベルの音が鳴り続ける。
１メートル以内なら音は止まる。
【発明の効果】
これにより少しでも盗難犯罪が少なくなればいい。
【発明を実施するための最良の形態】この２つの機器を可能にできる製造会社を見つけること。
【産業上の利用分野】
これによりすべての盗難犯罪は防げる。
(57)【要約】【課題】  家電用品が増え家庭用コンセント（延長コード）や壁面コンセントが多く使用されている。節電志向でプラグを抜いてもそのまま乱雑に放置されている。これらのプラグをコンセントの真近に整理することを課題とした。【解決手段】  厚みのある短冊状に形成される天板１の短辺２から一側端部３の所要位置に、プラグにおける金属脚の巾寸法で天板１の内部方向へ削穴し開口状の保持穴４を設け、この保持穴４から他の側端部５の方向に、プラグにおける金属脚間とほぼ同巾の胯間部６を設け、この胯間部６の先端部に金属脚と同形でほぼ同巾の差し込み穴７を他の側端部５に沿うよう角隅に設ける。更に、他の側端部５をほぼ直角に下方へ側板８を垂設し、所要寸法で天板１の下部へ曲折して底板９を設け、両面テープ１０を付着したプラグスタンドである。【選択図】図１
2012059681.tif 000002
【特許請求の範囲】
【請求項１】
厚みのある短冊状に形成される天板１の短辺２から一側端部３の所要位置に、プラグにおける金属脚の巾寸法で天板１の内部方向へ削穴し開口状の保持穴４を設け、この保持穴４から他の側端部５の方向に、プラグにおける金属脚間とほぼ同巾の胯間部６を設け、この胯間部６の先端部に金属脚と同形でほぼ同寸の差し込み穴７を他の側端部５に沿うよう角隅に設ける。更に、一側端部３と他の側端部５のそれぞれの長手方向の所要位置に保持穴４と差し込み穴７を複数個設ける。更に、他の側端部５をほぼ直角に下方へ側板８を垂設し、所要寸法で天板１の下部へ曲折して底板９を設け、これに両面テープ１０を付着したプラグスタンドである。
【発明の詳細な説明】
【技術分野】
【０００１】本発明は、家庭用コンセント（延長コード）や壁面コンセントから抜き取ったプラグを整理するスタンドに関する。
【背景技術】
【０００２】特許文献、非特許文献など該当文献なし。
【発明の概要】
【発明が解決しようとする課題】
【０００３】従来、家電用品の増加にともなって家庭用コンセント（延長コード）を利用する機会が多く、節電志向で複数のプラグを抜いたまま床面に放置している。
これは見苦しく乱雑であるばかりでなく、掃除の時に邪魔になっていた。また再使用の際にコンセントから離れた所にばらばらになって不便を感じていた。【０００４】本発明は、このような問題点を解決しようとするものであり、使用するコンセントの側面に貼着してプラグを整理することを目的とするものである。
【課題を解決するための手段】
【０００５】本発明は、上記目的を達成するため、厚みのある短冊状に形成される天板１の短辺２から一側端部３の所要位置に、プラグにおける金属脚の巾寸法で天板１の内部方向へ削穴し開口状の保持穴４を設け、この保持穴４から他の側端部５の方向に、プラグのおける金属脚間とほぼ同巾の胯間部６を設け、この胯間部６の先端部に金属脚と同形でほぼ同寸の差し込み穴７を他の側端部の５に沿うよう角隅に設ける。更に、一側端部３と他の側端部５のそれぞれの長手方向の所要位置に保持穴４と差し込み穴７を複数個設ける。【０００６】更に、他の側端部５をほぼ直角に下方へ側板８を垂設し、所要寸法で天板１の下部へ曲折して底板９を設け、これに両面テープ１０を付着したプラグスタンドである。【０００７】上記課題解決手段による作用は次の通りである。
すなわち、側面同志が貼着した家庭用コンセント（延長コード）の上面とプラグスタンドの上面がほぼ同一の高さで、かつ家庭用コンセントの差し込み口とプラグの保持穴４と差し込み穴７が横方向に並んでいるので、抜いたプラグは僅かな平行移動でスタンド側へ簡単に挿入できる。【０００８】そして、挿入されたプラグの脚間が胯間部６の上に載置される。つまり、保持穴４と差し込み穴７でプラグの二本の金属脚を支えるとともに胯間部６の上で安定させるものである。【０００９】プラグの二本の金属脚において、使用頻度によって僅かに開き状態になっている場合があるので、保持穴７は開口状であれば挿入し易い。一般的には真上からでも、どちらの穴の方から挿入してもよく、抜き差しが自由にできる。側板８の高さは、プラグの脚を収納するに支障のないものである。
また、底板９は壁面コンセントのカバー余白部分に貼着し立設して使用することもできる。
【発明の効果】
【００１０】上述したように本発明のプラグスタンドは、プラグを抜いたあとの乱雑さを防止し、床面に散乱することなく、掃除の際の片付ける手間を解消する。再使用のときは家庭用コンセントの真近にあって使い勝手のよい小型で便利なプラグスタンドを提供するものである。
【図面の簡単な説明】
【００１１】
【図１】  本発明の斜視図
【図２】  図１におけるＡ−Ａ線断面図である。
【符号の説明】
【００１２】１‥‥天板                        ８‥‥側板
２‥‥短辺                        ９‥‥底板
３‥‥一側端部                  １０‥‥両面テープ
４‥‥保持穴
５‥‥他の側端部
６‥‥胯間部
７‥‥差し込み穴
【図１】
2012059681.tif 000003
【図２】
2012059681.tif 000004
(57)【要約】【課題】  うつむけば口元にまで髪が垂れ下がるような長い髪の人が、食事のとき邪魔になる口元の髪を片方の手で押さえながら食事をしなければならないという不便さを解決する。【解決手段】  メガネフレームのつる１の部分にヘアクリップ機能を持たせた髪を挟む部材２を取り付ける。それにより髪を耳元で固定できることになり、口元に髪が垂れ下がるのを防ぎ食事のときに片手で髪を押さえる不便さを解消出来る。また、髪を挟む部材２に装飾性を持たせると髪飾りとしても使え、また、装飾部材４を取り付ければより選択性に富んだ髪飾りとして使用できる。【選択図】図１
2012133299.tif 000002
【特許請求の範囲】
【請求項１】
眼鏡フレームのつる部分に髪を挟む機能を付加した。
【請求項２】
請求項１の髪を挟む部分に装飾を加え髪飾りの機能を付加した。
【請求項３】
請求項１の髪を挟む部分に装飾部材を取り付け髪飾りの機能を付加した。
【発明の詳細な説明】
【技術分野】
【０００１】  本発明は、ヘアクリップ機能を付加したメガネフレームに関する。
【背景技術】
【０００２】  従来、髪の長い人が食事するときにうつむくと、髪が口元にまで垂れ下がり食事の邪魔になっていた。
【発明の概要】
【発明が解決しようとする課題】
【０００３】  従来のメガネでは、つる部分に髪を押さえる機能がなく、髪の長い人が食事のときうつむくと髪を抑えることが出来ないため口元まで髪が垂れ下がり片方の手で髪を押さえながら食事をするという不便さがあった。本発明は手で髪を押さえることなく食事が出来ることを課題とする。
【課題を解決するための手段】
【０００４】  上記課題を解決するためにメガネのつる部分に髪を挟む機能を付加した。
【発明の効果】
【０００５】  本発明は次のような効果を奏する。
請求項１に記載されている発明は、メガネのつる部に付加した髪を挟む機能により耳元近くで髪が固定されるので、食事のときにうつむいても髪が口元まで垂れ下がらず、食事の邪魔になる髪を片手で髪を押さえる必要がない。【０００６】  また、髪を挟む部分を装飾をすることにより、髪飾りとして使用できる。
【図面の簡単な説明】
【０００７】
【図１】  ヘアクリップ機能を付加したメガネフレームの斜図である。
【図２】  ヘアクリップ機能を付加したメガネフレームの側面図である。
【発明を実施するための形態】
【０００８】以下、本発明の実施の形態について説明する。
（イ），メガネのつる１に髪を挟む部材２を弾性体を組み込んだヒンジ３を介して取り付ける。
（ロ）、髪を挟む部材２に装飾を施し髪飾りの機能を持たせる。
（ハ）、髪を挟む部材２に装飾部材４を取り付け髪飾りの機能を持たせる。
【符号の説明】
【０００９】１    メガネのつる
２    髪を挟む部材
３    弾性体を組み込んだヒンジ
４    装飾部材
【図１】
2012133299.tif 000003
【図２】
2012133299.tif 000004
(57)【要約】【課題】  将来、キーボード入力によるパソコン等がタッチパネル式に移行し、それによって文字配列や入力操作が一変した場合、これまで使い慣れたキーボードによる入力操作を好む人がいることは否定出来ず、業務に支障が生じることも否定出来ない。【解決手段】  上記理由を以て、不合理性を改善したパソコンのタッチパネルに、これまでのＪＩＳ規格であるキーボードをタッチ式画像として呼び出し、それによる入力操作等が出来るシステムとする。【特許請求の範囲】
【請求項１】
ＧＷＥＲＴＹ方式及びＧＩＳ規格とするキーボードの不合理性を改善とするタッチパネル方式のパソコン等に、その使用の不慣れによる業務の支障が生じないよう、タッチパネルの画面を切り替えることにより、従来より使い慣れたＧＷＥＲＴＹ方式及びＧＩＳ規格であるキーボードをタッチ式画像として呼び出し、それによる入力操作が出来るコンピュータシステム。
【発明の詳細な説明】
【技術分野】
【０００１】  本発明は、タッチパネル応用のパソコンに関するものである。
【発明の概要】
【発明が解決しようとする課題】
【０００２】  従来まで主流をなしてきたパソコン等のキーボードの文字配列は、今日その役目を終えた英文タイプライターと同じ配列のＧＷＥＲＴＹ方式のキーボードが使われていて、ＪＩＳ規格にもなっているこのキーボードは、ほぼ限定された数の数字やアルファベット文字、記号等のキーに、日本特有のひらがな、漢字、カタカナ、ルビ等の入力機能を押し込めたものである。そのため極めて便利性の高いはずのこれらパソコンの入力操作は、極めて難解で不合理的ものであるため、使いこなすには、そのための十分なトレーニングを必要とする。このためパソコンが誰でも、簡単に使えるようにするためには、現在の変わりようのないキーボードは、パソコンの更なる普及と進化を考える上では大きなネックになっていることは否めない。従って今日期待されるのが、これまでのキーボード方式から脱却し、一字入力に手数のかかる不合理性等を改善出来ると思われるのが、タッチパネル方式であり、近い将来その方式のパソコンの普及が大いに期待されるものである。とは言え、これまで長年に渡ってＧＷＥＲＴＹ方式のキーボード操作に慣れきってきた人にとっては、タッチパネルによって新たな文字配列や入力操作等を変えたことによる不慣れが生じ、業務に支障をきたすことも考えられ、その対策が必要となる。
【問題を解決する手段】
【０００３】  操作性を大幅に改善する新たなスイッチ配列等をするタッチパネルのタッチスイッチのによって画面切り替え操作をし、これまでのＪＩＳ規格であるキーボードを映し出すことの出来るパソコンにし問題を解決する。
【発明の効果】
【０００４】  上記タッチパネル式パソコンの画面が切り替わり、平面スイッチ式のタッチパネルに映し出されたこれまでのＪＩＳ規格配列等のキーボード画面は、これまでのキー打ちに代わり、それぞれの文字その他の表示箇所を指入力又はペン入力することによって、これまでのキーボード同様、文字その他の入力が出来、大変都合の良いものである。
(57)【要約】【課題】広告宣伝費を安価に抑止し、地域社会革制化に貢献しつつ、地球温暖化にも配慮。【解決手段】通常の電話回線（有線・無線）携帯電話を使用、又は、ＧＰＳを介することにより不特定多数（老若男女を問わず）の顧客に対して商業情報を提供することが可能となる。【特許請求の範囲】
【請求項１】
インターネットとは、通常の電話を示すもので有線・無線及びＩＰ電話、ＦＡＸ、携帯電話等を使用した機器を示唆するものである。
【請求項２】
地球環境対策を考慮したインターネットを使用した当新案に於いて小規模・地域革制化及び安価、地域浸透・重視したＰＲ・広告が可能となる。
【請求項３】
内外産のＧＰＳの使用（介入）により個人商店・商店街等の意思表示（例えば、安売り、タイムサービス等）し、不特定多数の顧客に発・受信可能となる。
【発明の詳細な説明】
【発明の概要】
【発明が解決しようとする課題】
【０００１】ＰＲ・広告を安価で一般生活に密着した物にすると共に環境対策をも考慮。
【課題を解決するための手段】
【０００２】従来、存在していた広告業界及び印刷業界は、大手企業を対象としているか若しくわ新聞等による「折込チラシ」で情報提供しているが、個人商店・商店街等では高額な広告宣伝費に経費負担は不可能であるが、３者のニーズに答えるには、現在、インターネット（パソコン・携帯電話等）で実行されているニュース及びＥ−メールで表示されている「リアルタイム」を活用して商業用情報を発受信するシステムを新設。
【発明の効果】
【０００３】従来の広告業界及び印刷業界の存続と共に両業界が作成した企画原案をインターネット（パソコン・電話・ＦＡＸ等を含む）で収集した原案を発信業社に委託することにより「広告紙」の削減になる。又、通勤・通学の途中にエンドユーザーに時間的余裕が有る者に委託できると言う「利点」がある。
【図面の簡単な説明】
【０００４】  従来
消費者←新聞発送業社←広告・印刷業社←大・中堅企業
新システム設定後
2012133740.tif 000002
【手続補正書】
【提出日】平成23年4月7日(2011.4.7)
【手続補正２】
【補正対象書類名】明細書
【補正対象項目名】全文
【補正方法】変更
【補正の内容】
【発明の詳細な説明】
【発明の概要】
【発明が解決しようとする課題】
【０００１】ＰＲ・広告を安価で一般生活に密着した物にすると共に環境対策をも考慮。
【課題を解決するための手段】
【０００２】従来、存在していた広告業界及び印刷業界は、大手企業を対象としているか若しくわ新聞等による「折込チラシ」で情報提供しているが、個人商店・商店街等では高額な広告宣伝費に経費負担は不可能であるが、３者のニーズに答えるには、現在、インターネット（パソコン・携帯電話等）で実行されているニュース及びＥ−メールで表示されている「リアルタイム」を活用して商業用情報を発受信するシステムを新設。
【発明の効果】
【０００３】従来の広告業界及び印刷業界の存続と共に両業者が作成した企画原案をインターネット（パソコン・電話・ＦＡＸ等を含む）で収集した原案を発信業社に委託することにより「広告紙」の削減になる。又、通勤・通学の途中にエンドユーザーに時間的余裕が有る者に委託できると言う「利点」がある。
(57)【要約】【課題】  パソコンマウスを操作する時、マウスを被せるように掴んで動かすが掌の踵にあたる端部が机上又はマウスパット上と接触し摩擦抵抗を起こし、動きが滑らかでなく、なかには掌の端部を浮かせて操作している人も居るが長時間作業には疲れるため掌の端部を机上又はマウスパット上に付けて摩擦を起こしながら操作している。  本発明は滑動板を掌又は手袋の端部に貼り付けることにより、滑らかな操作が出来るパソコンマウス用滑動板を提供する。【解決手段】  摩擦係数の少ない金属又は合成樹脂等の素材から成る滑動板を曲面形成し粘着面を備えたクッション性の保持材を貼り合わせ接着させた滑動板を保持材を介して掌又は手袋の所定の位置に粘着させてマウスの操作を滑らかにすることができるところが特徴のパソコンマウス用滑動板である。【選択図】図１
2012133738.tif 000002
【特許請求の範囲】
【請求項１】
摩擦係数の少ない素材から成る滑動板を曲面形成し、保持部材を介して所定の位置に保持することを特徴とするパソコンマウスの操作を滑らかにする滑動板。
【発明の詳細な説明】
【技術分野】
【０００１】  本発明は、パソコンを操作する際、マウスを机上、又はマウスパット上で滑らかに動かすための滑動板に関するものである。
【背景技術】
【０００２】  従来、パソコンマウスを使用するとき、掌でマウスを被せるように掴んで動かしているが掌の踵にあたる端部が机上、又はマウスパット上で接触し摩擦抵抗を起こし滑らかな動きを妨げている。
【発明の概要】
【発明が解決しようとする課題】
【０００３】  パソコンマウスを掌で被せるように掴んで動かす時、掌の端部が机上、又はマウスパット上と接触し摩擦抵抗を起こしマウスの滑らかな動きを妨げている。またなかには机上又はマウスパット上との接触を避けるため掌の端部を浮かせて操作する人も居るが、長時間の操作においては手の疲れを招いている。
本発明は、以上の問題点を解決するものである。
【課題を解決するための手段】
【０００４】  本発明によれば、摩擦係数の少ない金属、又は合成樹脂等の素材から成る滑動板を曲面形成し粘着面を備えたクッション性の保持部材を介して所定の掌又は手袋の端部に貼り付けるパソコンマウスの操作を滑らかにする滑動板としたことである。
【発明の効果】
【０００５】  従来、マウスを動かす時、机上又はマウスパット上において掌の端部と摩擦を起こしていたが、摩擦係数の少ない金属、又は合成樹脂等の素材から成る滑動板を使用することにより掌の端部を滑動板の上に乗せて動かす状態になるので操作が楽になる。
本発明は、長時間の操作においては手の疲れを招いているが、本発明はマウス操作を滑らかにすることによって、手に掛かる負担を軽減させる。
【図面の簡単な説明】
【０００６】
【図１】は本発明の平面図
【図２】は本発明の側面図
【図３】は本発明の正面図
【図４】は本発明を手に設けた状態を示す平面図。
【図５】は本発明を手袋に設けた状態を示す平面図
【図６】は本発明の手袋に設けた使用状態の平面図
【図７】は本発明の手袋に設けた使用状態の側面図
【発明を実施するための形態】
【０００７】  以下、本発明の実施の形態を図面に基づいて説明すると、金属又は合成樹脂等摩擦係数の少ない素材からなる滑動板１に滑らかな曲面２を形成し、他の面に保持面３を形成してある（図１）。保持面３は滑動板１を掌又は手袋等に保持する為のもので粘着面を備えたクッション性の部材を設けるとよい（図２、図３）。
【０００８】  この時、滑動板１の大きさは、掌又は手袋の端部に粘着面を備えた保持面３が当たり邪魔になることが無く、且つ、マウスに掌を被せるように添えて移動する際、掌の端部が滑動板１を介して手の重みを安定的に支えることが出来る大きさであることが望ましい。
【０００９】  更に、保持面３には、掌の面又は手袋に粘着させると良く、この場合、粘着面を備えたクッション材を介し個人差のある掌の曲面と合致させて掌等に安定的に保持することが可能である。
又、保持面３はクッション性を有する素材で粘着性のある作用を持つ素材とすることも可能である。
【００１０】  以下、本発明の形態を使用するには、滑動板１の曲面（滑面）２を表に保持面３には粘着面を備えたクッション材等の保持部材３Ａを設けるとよく、この保持部材３Ａを介して掌４又は手袋５の所定の端部に貼り付ける。滑動板１を保持し使用する時、掌４の端部は保持面３の上に乗る状態となり曲面（滑面）２は机上又はマウスパット７上において摩擦抵抗が少なく、従ってパソコンマウス６の動きを滑らかにする。
【００１１】  なお、手袋５の所定の位置には滑り止めの軟性合成樹脂の点鋲が施されている手袋５が滑動板１の着脱には適していて指部は指の付け根付近から取り除かれている手袋５がパソコン操作に適している。また滑動板１及び手袋５にはキャラクターや花等のデザインを施すことも可能である。
【００１２】  試用の結果、マウスの動きが滑らかになり特に手の疲れが軽減されて良いと評している。なお、滑動板を手袋に保持させ使用する場合、指の付け根付近から取り除かれている手袋がパソコン操作上、支障がなく、また貼り付ける所定の位置には滑り止めの点鋲が施されている手袋が滑動板の着脱が容易であった。
【符号の説明】
【００１３】１  滑動板
２  曲面（滑面）
３  保持面
３Ａ  保持部材
４  掌
５  手袋（滑り止め点鋲付き）
６  パソコンマウス
７  机上又はマウスパット面
【図１】
2012133738.tif 000003
【図２】
2012133738.tif 000004
【図３】
2012133738.tif 000005
【図４】
2012133738.tif 000006
【図５】
2012133738.tif 000007
【図６】
2012133738.tif 000008
【図７】
2012133738.tif 000009